(57)【要約】      （修正有）【課題】上流側パイプとやりとり接続が可能な管継手において、流体のスムーズな流れを遮ることのない管継手を提供する。【解決手段】中間曲管部６の断面開口の面積が該中間曲管部６の上流端から下流端までの全範囲にわたって緩やかに縮小するという構成を採用する。これにより、中間曲管部６の内周面９、下流側パイプ４の内周面１１が上向きの段差なしで連続する。このため、管継手１内には、上流側から下流側への流体の流れを妨げる要因は存在しない。よって、管継手１内における流体のスムーズな流れが保証される。【選択図】図１
0003154947.tif 000002
【実用新案登録請求の範囲】
【請求項１】
上流側パイプ（２）をやりとり接続可能に受け入れる上流側筒部（３）と、下流側パイプ（４）を受け入れる下流側筒部（５）と、これらの筒部（３，５）間に曲がって延在する中間曲管部（６）と、を備え、前記中間曲管部（６）の内周面（９）と前記下流側パイプ（４）の内周面（１１）とを上流向きの段差なしで連続させるために、前記中間曲管部（６）の内周面（９）と前記下流側筒部（５）の内周面（８）との境界に、前記下流側筒部（５）の内径を拡大する段部（１０）が配設されている管継手（１）であって、前記中間曲管部（６）の断面開口の面積が該中間曲管部（６）の上流端から前記段部（１０）までの全範囲にわたって緩やかに縮小している、管継手。
【請求項２】
前記上流側パイプ（２）の許容挿入深さ（Ｄ）を画定する径方向内向きの突部（１３）が、前記上流側筒部（３）の内周面に部分的に配設されている、請求項１に記載の管継手。
【請求項３】
前記上流側筒部（３）の内周面の周方向における前記突部（１３）の配設角度位置が、前記上流側筒部（３）を水平にし、前記下流側筒部（５）を下向きにした状態において、時計回りで４５度、１３５度、２２５度、３１５度の角度位置（Ａ１，Ａ２，Ａ３，Ａ４）の少なくともいずれかである、請求項２に記載の管継手。
【請求項４】
前記突部（１３）の配設数が前記四つの角度位置（Ａ１，Ａ２，Ａ３，Ａ４）の内の二つとされ、且つ、前記上流側筒部（３）の軸心（Ｏ）を中心として互いに向かい合う位置に前記突部（１３）が配設されている、請求項３に記載の管継手。
【考案の詳細な説明】
【技術分野】
【０００１】
本考案は、軸線同士が交差する位置関係にある上流側パイプと下流側パイプの端部間に跨らせることにより前記二本のパイプを互いに連結する管継手であって、前記上流側パイプとやりとり接続が可能な管継手に関する。
【背景技術】
【０００２】
前記の如き管継手として、従来、図３に示すものが知られている。図３の管継手１’は、上流側パイプ２をやりとり接続可能に受け入れる上流側筒部３’と、下流側パイプ４を受け入れる下流側筒部５’と、これらの筒部３’，５’間に曲がって延在する中間曲管部６’と、を備える。前記上流側パイプ２の内径と前記下流側パイプ４の内径は同一であるが異径であってもよい。
【０００３】
前記上流側筒部３’の内周面と前記中間曲管部６’の内周面９’との境界には、上流側から下流側に向けて内径を縮小させるための傾斜状減径部２０が配設されている。該傾斜状減径部２０は、前記中間曲管部６’の内径を前記上流側パイプ２の内径と一致させるために設けられる。
【０００４】
また、前記中間曲管部６’の内周面９’と前記下流側筒部５’の内周面８’との境界には、前記中間曲管部６’の内径に対して前記下流側筒部５’の内径を拡大する段部１０’が配設されている。該段部１０’は、前記中間曲管部６’の内周面９’と前記下流側パイプ４の内周面１１とを、上流向きの段差なしで連続させるために設けられる。前記下流側パイプ４は、その端面４ａが前記段部１０’に突き当たるまで前記下流側筒部５’内に挿入され、その状態で固定される。
【０００５】
なお、出願人は、前記構成の管継手を開示している文献については不知である。
【考案の概要】
【考案が解決しようとする課題】
【０００６】
前記従来構成の管継手１’においては、前記上流側筒部３’の内周面と前記中間曲管部６’の内周面９’との境界に前記傾斜状減径部２０を設けたことにより、該傾斜状減径部２０付近で流体のスムーズな流れが遮られてしまう。このため、前記管継手１’が水洗トイレの排水配管等に使用される場合には、前記傾斜状減径部２０付近に汚物やトイレットペーパーが滞留してしまう等の問題がある。特に、一回の排水量を節約した最近の少量排水式のトイレにおいては、前記問題が起こる可能性が高い。
【０００７】
なお、前記問題は、上流側パイプ２と上流側筒部３’とをやりとり接続可能とした管継手に特有のものである。すなわち、上流側パイプ２と上流側筒部３’と間でやりとり接続が不能な管継手の場合には、前記上流側パイプ２の端面２ａと突き合わされる上流向きの段部を管継手内に設けることにより、前記上流側パイプ２の内周面と前記管継手の内周面とを段差なしで連続させることができるので、前記問題が生ずる余地はないからである。
【０００８】
本考案は、前記のような事情に鑑みてなされたもので、上流側パイプとやりとり接続が可能な管継手において、流体のスムーズな流れを遮ることのない管継手を提供しようとするものである。
【課題を解決するための手段】
【０００９】
前記課題を解決するため、本考案に係る管継手は、上流側パイプをやりとり接続可能に受け入れる上流側筒部と、下流側パイプを受け入れる下流側筒部と、これらの筒部間に曲がって延在する中間曲管部と、を備え、前記中間曲管部の内周面と前記下流側パイプの内周面とを上流向きの段差なしで連続させるために、前記中間曲管部の内周面と前記下流側筒部の内周面との境界に、前記下流側筒部の内径を拡大する段部が配設されている管継手であって、前記中間曲管部の断面開口の面積が該中間曲管部の上流端から前記段部までの全範囲にわたって緩やかに縮小していることを特徴とする（請求項１）。ここで、前記中間曲管部の断面開口とは、前記中間曲管部の湾曲した軸線の接線に対して直角な断面における前記中間曲管部の開口をいう。
【００１０】
本考案では、前記従来の管継手に備わっていた傾斜減径部に代えて、前記中間曲管部の断面開口の面積が該中間曲管部の上流端から下流端までの全範囲にわたって緩やかに縮小するという構成を採用する。これにより、前記上流側筒部の内周面と前記段部の内周縁とが、前記中間曲管部の内周面を介して滑らかに連続する。また、前記段部を設けてあるので、前記中間曲管部の内周面と前記下流側パイプの内周面とが上流向きの段差なしで連続する。このため、前記管継手内には、上流側から下流側への流体の流れを妨げる要因は存在しない。よって、前記管継手内における流体のスムーズな流れが保証される。
【００１１】
好適な実施の形態として、前記上流側パイプの許容挿入深さを画定する径方向内向きの突部を前記上流側筒部の内周面に部分的に設けた態様とすることもできる（請求項２）。前記突部は、挿入される上流側パイプの端面に当接して、該上流側パイプのそれ以上の挿入を阻止する。これにより、前記上流側パイプが許容挿入深さを越えて前記上流側筒部内に無理に押し込まれることが防止される。前記突部は、前記上流側筒部の内周面に部分的に配設されるので、流体の流れを乱す心配はない。
【００１２】
前記上流側筒部の内周面の周方向における前記突部の配設角度位置は、前記上流側筒部を水平にし、前記下流側筒部を下向きにした状態において、時計回りで４５度、１３５度、２２５度、３１５度の角度位置の少なくともいずれかとすることができる（請求項３）。
【００１３】
前記管継手は、通常、前記上流側筒部を水平にし、前記下流側筒部を下向きにした第一の状態か、あるいは、前記上流側筒部と前記下流側筒部の双方を水平にした第二の状態で使用される。前記突部の位置を前記の通り４５度、１３５度、２２５度、３１５度の少なくともいずれかの角度位置にしておけば、前記管継手を前記第一の状態で使用する場合にも前記第二の状態で使用する場合にも、前記突部は、前記上流側筒部の内周面の真下から左右４５度の角度範囲の内側には位置することがない。このため、特に、前記管継手をトイレの排水配管等に使用する場合に、前記突部がトイレットベーパー等の円滑な流れを妨げる等の心配がない。
【００１４】
流体の流れを阻害せず、しかも、ストッパとしての機能を安定的且つ確実に発揮できるようにするには、前記突部の配設数を前記四つの角度位置の内の二つとし、且つ、前記上流側筒部の軸心を中心として互いに向かい合う位置に配設するのが最も好ましい（請求項４）。
【図面の簡単な説明】
【００１５】
【図１】本考案の実施の一形態に係る管継手の縦断面図である。
【図２】図１のＩＩ−ＩＩ矢視断面図である。
【図３】従来の管継手の縦断面図である。
【考案を実施するための形態】
【００１６】
以下、添付図面を参照して、本考案の実施の一形態について説明する。
【００１７】
図１において、本考案の実施の一形態に係る管継手１は、上流側パイプ２をやりとり接続可能に受け入れる上流側筒部３と、下流側パイプ４を受け入れる下流側筒部５と、これらの筒部３，５間に曲がって延在する中間曲管部６と、を備える。前記管継手１は、例えば、全体がゴム製であり、金型を組み合わせてプレス成形等の周知の方法で製造される。本実施の形態では、前記上流側パイプ２と前記下流側パイプ４は、内径、外径とも同一であるが異径であってもよい。
【００１８】
前記上流側筒部３の内径はその軸線方向において一様である。前記上流側パイプ２の外周面に必要に応じて接着剤を塗布し、前記上流側筒部３内に挿入することにより、後で述べる許容挿入深さＤの範囲内において、任意の挿入深さ位置で固定することができる。前記上流側筒部３内に前記上流側パイプ２を固定した状態において、前記上流側筒部３内には前記上流側パイプ２の端面２ａによって段部が形成される。しかし、この段部２ａは、下流向きの段部であるため、流体の流れを妨げることはない。
【００１９】
前記上流側筒部３の外周面には、周方向の溝７が形成されている。この溝７には、前記上流側筒部３を前記上流側パイプ２の外周面に対して締め付け固定するための図示しないクランプが嵌まり込む。
【００２０】
前記下流側筒部５は、前記上流側筒部３と同一の内径を有し、この内径は、前記下流側筒部５の軸線方向において一様である。前記下流側筒部５の内周面８と前記中間曲管部６の内周面９との境界には、前記中間曲管部９の内径に対して前記下流側筒部５の内径を拡大する段部１０が配設されている。この段部１０は、前記中間曲管部６の内周面９と前記下流側パイプ４の内周面１１とを、上流向きの段差なしで連続させるために設けられる。前記下流側パイプ４の外周面に必要に応じて接着剤を塗布し、下流側パイプ４の端面４ａが前記段部１０に突き当たるまで前記下流側筒部５内に挿入することにより、該下流側筒部５内に前記下流側パイプ４が固定される。本実施の形態では、前記段部１０の寸法が、前記下流側パイプ４の肉厚に相当する寸法とされている。このため、前記下流側筒部５内に前記下流側パイプ４を固定した状態において、前記中間曲管部６の内周面９と前記下流側パイプ４の内周面１１とが段差なしで連続する。
【００２１】
前記下流側筒部５の外周面にも、前記上流側筒部３と同様に、周方向の溝１２が形成されている。この溝１２には、前記下流側筒部５を前記下流側パイプ４の外周面に対して締め付け固定するための図示しないクランプが嵌まり込む。
【００２２】
前記中間曲管部６は、その断面開口の面積が該中間曲管部６の上流端から前記段部１０までの全範囲にわたって緩やかに縮小している。これにより、前記上流側筒部３の内周面と前記段部１０の内周縁１０ａとが前記中間曲管部６の内周面９を介して滑らかに連続する。また、前記段部１０を設けてあるので、前記中間曲管部６の内周面９と前記下流側パイプ４の内周面１１とが段差なしで連続する。このため、前記管継手１内には、上流側から下流側への流体の流れを妨げる要因は存在しない。よって、前記管継手１内における流体のスムーズな流れが保証される。ここで、前記中間曲管部６の断面開口とは、前記中間曲管部６の湾曲した軸線Ｘの接線に対して直角な断面における前記中間曲管部６の開口をいう。
【００２３】
図２に示すように、本実施の形態では、前記上流側パイプ２の前記許容挿入深さＤを画定する径方向内向きの突部１３が、前記上流側筒部３の内周面に部分的に配設されている。前記突部１３は、挿入される上流側パイプ２の端面２ａに当接して、該上流側パイプ２のそれ以上の挿入を阻止する。これにより、前記上流側パイプ２が許容挿入深さＤを越えて前記上流側筒部３内に無理に押し込まれることが防止される。前記突部１３は、前記上流側筒部３の内周面に部分的に配設されるので、流体の流れを乱す心配はない。
【００２４】
前記突部１３の最も好ましい配設位置を例示すると、次のようになる。図１に示すように、前記上流側筒部３を水平にし、前記下流側筒部５を下向きにした状態において、前記上流側筒部３の内周面の周方向における前記突部１３の配設角度位置は、図２に示すように、時計回りで４５度の位置Ａ１、１３５度の位置Ａ２、２２５度の位置Ａ３、３１５度の位置Ａ４少なくともいずれかとするのが好ましい。前記四つの角度位置Ａ１〜Ａ４の内、一つでもよいし、二つでもよいし、三つ又は四つの位置に配設してもよい。流体の流れを阻害せず、しかも、ストッパとしての機能を安定的且つ確実に発揮できるようにするには、図２に示すように、前記突部１３の配設数を前記四つの角度位置Ａ１〜Ａ４の内の二つとし、且つ、前記上流側筒部３の軸心Ｏを中心として互いに向かい合う位置に配設するのが最も好ましい。
【００２５】
前記突部１３の配設位置を前記角度位置Ａ１〜Ａ４にするのが好ましい理由は、次の通りである。前記管継手１は、通常、前記上流側筒部３を水平にし、前記下流側筒部５を下向きにした第一の状態か、あるいは、前記上流側筒部３と前記下流側筒部５の双方を水平にした第二の状態で使用される。前記突部１３の配設角度位置を、前記の通り４５度、１３５度、２２５度、３１５度の少なくともいずれかにしておけば、前記管継手１を前記第一の状態で使用する場合にも前記第二の状態で使用する場合にも、前記突部１３は、前記上流側筒部３の内周面の真下の位置Ａ５から左右４５度の角度範囲の内側には位置することがない。このため、特に、前記管継手１をトイレの排水配管に使用する場合に、前記突部１３が管路の内周面の下側に沿って流れるトイレットベーパー等の円滑な流れを妨げる心配がないからである。
【符号の説明】
【００２６】
１    管継手
２    上流側パイプ
３    上流側筒部
４    下流側パイプ
５    下流側筒部
６    中間曲管部
９    中間曲管部の内周面
１０  段部
１１  下流側パイプの内周面
１３  突部
Ｄ    許容挿入深さ
Ｏ    上流側筒部の軸心
【図１】
0003154947.tif 000003
【図２】
0003154947.tif 000004
【図３】
0003154947.tif 000005